(57)【要約】      （修正有）【課題】版締めシステム及び印刷機において、作業性の向上を図ると共に装置の簡素化及び製造コストの低減を図る。【解決手段】係止爪７４ａが版胴４１ａの外周面に巻き付けられた刷版７１の端部に係止して刷版７１を締結する版締め装置７３と、刷版７１の端部に対して係止爪７４ａを係脱させる係止爪作動シリンダ７９と、係止爪作動シリンダ７９の作動指令信号が入力すると予め設定された所定時間の経過後に係止爪作動シリンダ７９を作動させる制御装置とを設ける。【選択図】図８
2017222041.tif 000002
【特許請求の範囲】
【請求項１】
係止爪が版胴の外周面に巻き付けられた刷版の端部に係止して前記刷版を締結する版締め装置と、
前記刷版の端部に対して前記係止爪を係脱させる係止爪作動装置と、
前記係止爪作動装置の作動指令信号が入力すると予め設定された所定時間の経過後に前記係止爪作動装置を作動させる制御装置と、
を備えることを特徴とする版締めシステム。
【請求項２】
前記係止爪作動装置を作動させる作動スイッチが設けられ、前記制御装置は、前記作動スイッチの操作により出力される前記作動指令信号が入力すると、所定時間の経過後に前記係止爪作動装置を作動させることを特徴とする請求項１に記載の版締めシステム。
【請求項３】
前記作動スイッチは、作業者が操作可能な押ボタン式スイッチであることを特徴とする請求項２に記載の版締めシステム。
【請求項４】
前記押ボタン式スイッチは、前記版胴とほぼ同じ高さで、作業者に対向して配置されることを特徴とする請求項３に記載の版締めシステム。
【請求項５】
前記押ボタン式スイッチは、作業者が版締め作業を行うフロアに配置されるフットスイッチであることを特徴とする請求項３に記載の版締めシステム。
【請求項６】
前記版胴の外周辺に前記版胴と平行をなして安全バーが配置され、前記押ボタン式スイッチは、前記安全バーに配置されることを特徴とする請求項３に記載の版締めシステム。
【請求項７】
前記作動スイッチは、前記版胴の外周面に巻き付けられた前記刷版を押える作業者の手を検出する検出スイッチであることを特徴とする請求項２に記載の版締めシステム。
【請求項８】
作業者が版締め作業を行うフロアにいることを検出する人感センサが設けられ、前記制御装置は、前記人感センサが作業者を検出し、且つ、前記作動指令信号が入力すると、所定時間の経過後に前記係止爪作動装置を作動させることを特徴とする請求項１から請求項７のいずれか一項に記載の版締めシステム。
【請求項９】
前記版胴は、軸方向に沿って前記刷版が複数装着可能であり、前記版締め装置は、前記係止爪が複数の前記刷版を個別に拘束可能であり、前記係止爪作動装置は、複数の前記刷版を拘束した係止爪を個別に作動可能であることを特徴とする請求項１から請求項８のいずれか一項に記載の版締めシステム。
【請求項１０】
インキを供給するインキ供給装置と、
前記インキ供給装置から外周部に装着された刷版にインキが供給される版胴と、
前記版胴から受け取ったインキの画像をウェブに転写するブランケット胴と、
請求項１から請求項９のいずれか一項に記載の版締めシステムと、
を備えることを特徴とする印刷機。
【発明の詳細な説明】
【技術分野】
【０００１】
本発明は、印刷機に支持された版胴に刷版を装着するために用いられる版締めシステム、この版締めシステムを備える印刷機に関するものである。
【背景技術】
【０００２】
例えば、新聞用オフセット輪転印刷機は、給紙装置と印刷装置とウェブパス装置と折機とから構成されている。そして、印刷装置は、複数の印刷ユニットを有し、各印刷ユニットは、対応するウェブに対して印刷を行う。そして、印刷ユニットは、インキ供給源と、複数のローラを用いてインキを供給するインキ供給装置と、刷版が装着された版胴と、インキ（画像）を印刷紙に転写するフランケット胴を備えている。
【０００３】
この印刷ユニットでは、印刷物に応じて複数の刷版が製作され、版胴に対して印刷に必要な刷版が装着されて印刷が実施される。このため、印刷ユニットは、版胴の外周面に刷版を巻き付けてその両端部を固定するための版締め装置を装備している。版胴は、外周面に軸方向に沿って溝形状をなすギャップ部が設けられており、版締め装置は、このギャップ部にテンションバーを設けて構成され、このテンションバーにより刷版の後端部を引っ張って刷版に張力を付与することで、刷版を版胴に締め付けて固定する。
【０００４】
版胴に刷版を装着する場合、刷版の咥え側端部を版胴の咥え部に係止し、刷版を回転して刷版を版胴に巻付け、版締め装置により刷版の咥え尻側端部を版胴の咥え尻部に係止する。このとき、１人の作業者が刷版の咥え尻側端部の外周面を押え、もう１人の作業者が版締め装置の作動スイッチを操作する。すると、テンションバーが回動して係止爪が解除位置に移動したとき、作業者に押えられていた刷版の咥え尻側端部がギャップ部内に押し込まれ、テンションバーが逆に回動して係止爪が係止位置に移動することで、咥え尻側端部が係止爪に係止され、刷版がテンションバーにより版胴に締め付けて固定される。
【０００５】
この場合、版胴に刷版を装着する作業を行うとき、２人の作業者が必要となってしまい、機付の人員が制限される状況下では、迅速な版交換作業の実施に支障を来していた。そのため、版交換作業を自動で実施する技術が提案されており、例えば、下記特許文献１に記載されたものがある。
【先行技術文献】
【特許文献】
【０００６】
【特許文献１】特開２００８−５５７９４号公報
【発明の概要】
【発明が解決しようとする課題】
【０００７】
上述した特許文献１に記載された半自動版交換装置は、版押えローラが刷版を版胴に押し付ける着状態とし、版押えローラにより刷版の咥え尻側端部をギャップ部内に押し込んで自動的にテンションバーを回転させ、係止爪により係止するものである。この半自動版交換装置では、作業者がコントローラに動作指令を入力するだけでよく、１人の作業者で版交換作業の実施が可能となる。ところが、版胴の周辺部に複数の版押えローラやその駆動装置、各種センサなどが必要となり、構造が複雑になると共に製造コストが増加してしまうという問題がある。
【０００８】
本発明は、上述した課題を解決するものであり、作業性の向上を図ると共に装置の簡素化及び製造コストの低減を図る版締めシステム及び印刷機を提供することを目的とする。
【課題を解決するための手段】
【０００９】
上述の目的を達成するための本発明の版締めシステムは、係止爪が版胴の外周面に巻き付けられた刷版の端部に係止して前記刷版を締結する版締め装置と、前記刷版の端部に対して前記係止爪を係脱させる係止爪作動装置と、前記係止爪作動装置の作動指令信号が入力すると予め設定された所定時間の経過後に前記係止爪作動装置を作動させる制御装置と、を備えることを特徴とするものである。
【００１０】
従って、制御装置は、作動指令信号が入力すると、所定時間の経過後に係止爪作動装置を作動させる。そのため、作業者が版装着動作を行って作動指令信号が出力されると、制御装置は、作動指令信号の入力から所定時間の待ち時間を確保することとなり、作業者は、この待ち時間の間に、版胴の外周面に巻き付けられた刷版の端部を外方から押えることができる。そして、所定時間が経過し、係止爪作動装置が作動すると、係止爪が作動して刷版の端部に係止し、刷版を版胴の外周面に締結することができる。その結果、版胴への刷版の装着作業を１人の作業者により実施することが可能となり、迅速な版交換作業を実施することで作業性の向上を図ることができる。また、既存の版締め装置と係止爪作動装置に加えて作動指令信号の出入力装置だけでよく、大掛かりな装置を不要として装置の簡素化及び製造コストの低減を図ることができる。
【００１１】
本発明の版締めシステムでは、前記係止爪作動装置を作動させる作動スイッチが設けられ、前記制御装置は、前記作動スイッチの操作により出力される前記作動指令信号が入力すると、所定時間の経過後に前記係止爪作動装置を作動させることを特徴としている。
【００１２】
従って、作動スイッチが操作されて作動指令信号が出力され、制御装置は、この作動指令信号が入力されると、所定時間の経過後に係止爪作動装置を作動させることから、作業者は、作動指令信号の入力から所定時間の間に、版胴の外周面に巻き付けられた刷版の端部を外方から押えることができ、版胴への刷版の装着作業を１人の作業者により実施することが可能となり、作業性の向上を図ることができる。
【００１３】
本発明の版締めシステムでは、前記作動スイッチは、作業者が操作可能な押ボタン式スイッチであることを特徴としている。
【００１４】
従って、作業者が押ボタン式スイッチを操作して作動指令信号が出力され、制御装置は、この作動指令信号が入力されると、所定時間の経過後に係止爪作動装置を作動させることから、作業者は、押ボタン式スイッチを操作してから所定時間の間に、版胴の外周面に巻き付けられた刷版の端部を外方から押えることができ、版胴への刷版の装着作業を１人の作業者により実施することが可能となり、作業性の向上を図ることができる。
【００１５】
本発明の版締めシステムでは、前記押ボタン式スイッチは、前記版胴とほぼ同じ高さで、作業者に対向して配置されることを特徴としている。
【００１６】
従って、押ボタン式スイッチを版胴とほぼ同じ高さで作業者に対向して配置することで、作業者の身体を使って押ボタン式スイッチを操作することができ、操作性を向上することができる。
【００１７】
本発明の版締めシステムでは、前記押ボタン式スイッチは、作業者が版締め作業を行うフロアに配置されるフットスイッチであることを特徴としている。
【００１８】
従って、押ボタン式スイッチをフロアに配置されるフットスイッチとすることで、作業者の足で押ボタン式スイッチを操作することができ、操作性を向上することができる。
【００１９】
本発明の版締めシステムでは、前記版胴の外周辺に前記版胴と平行をなして安全バーが配置され、前記押ボタン式スイッチは、前記安全バーに配置されることを特徴としている。
【００２０】
従って、押ボタン式スイッチを安全バーに配置することで、作業者は、押ボタン式スイッチを操作してからすぐに刷版の端部を押えることができ、操作性を向上することができる。
【００２１】
本発明の版締めシステムでは、前記作動スイッチは、前記版胴の外周面に巻き付けられた前記刷版を押える作業者の手を検出する検出スイッチであることを特徴としている。
【００２２】
従って、作業者が版胴の外周面に巻き付けられた刷版の端部を外方から押えたとき、検出スイッチが刷版を押える作業者の手を検出して作動指令信号が出力され、制御装置は、この作動指令信号が入力されると、所定時間の経過後に係止爪作動装置を作動させることから、作業者は、刷版の端部を押えるだけで係止爪作動装置が自動的に作動することとなり、版胴への刷版の装着作業を１人の作業者により実施することが可能となり、作業性の向上を図ることができる。
【００２３】
本発明の版締めシステムでは、作業者が版締め作業を行うフロアにいることを検出する人感センサが設けられ、前記制御装置は、前記人感センサが作業者を検出し、且つ、前記作動指令信号が入力すると、所定時間の経過後に前記係止爪作動装置を作動させることを特徴としている。
【００２４】
従って、制御装置は、人感センサが作業者を検出した後、作動指令信号が入力すると、所定時間の経過後に係止爪作動装置を作動させることから、作業者による版装着作業の実施を明確に確認することができ、安全性を向上することができる。
【００２５】
本発明の版締めシステムでは、前記版胴は、軸方向に沿って前記刷版が複数装着可能であり、前記版締め装置は、前記係止爪が複数の前記刷版を個別に拘束可能であり、前記係止爪作動装置は、複数の前記刷版を拘束した係止爪を個別に作動可能であることを特徴としている。
【００２６】
従って、係止爪作動装置は、版胴に対して装着される複数の刷版を各係止爪により個別に拘束することができ、作業性の向上を図ることができる。
【００２７】
また、本発明の印刷機は、インキを供給するインキ供給装置と、前記インキ供給装置から外周部に装着された刷版にインキが供給される版胴と、前記版胴から受け取ったインキの画像をウェブに転写するブランケット胴と、前記版締めシステムと、を備えることを特徴とするものである。
【００２８】
従って、版胴への刷版の装着時、作業者が版装着動作を行って作動指令信号が出力されると、作動指令信号の入力から所定時間の待ち時間を確保することとなり、作業者は、この待ち時間の間に、版胴の外周面に巻き付けられた刷版の端部を外方から押えることができる。そして、所定時間が経過し、係止爪作動装置が作動すると、係止爪が作動して刷版の端部に係止し、刷版を版胴の外周面に締結することができる。その結果、版胴への刷版の装着作業を１人の作業者により実施することが可能となり、迅速な版交換作業を実施することで作業性の向上を図ることができる。また、既存の版締め装置と係止爪作動装置に加えて作動指令信号の出入力装置だけでよく、大掛かりな装置を不要として装置の簡素化及び製造コストの低減を図ることができる。
【発明の効果】
【００２９】
本発明の版締めシステム及び印刷機によれば、係止爪作動装置の作動指令信号が入力すると予め設定された所定時間の経過後に係止爪作動装置を作動させるので、迅速な版交換作業を実施することで作業性の向上を図ることができと共に、大掛かりな装置を不要として装置の簡素化及び製造コストの低減を図ることができる。
【図面の簡単な説明】
【００３０】
【図１】図１は、第１実施形態の版締めシステムを表すブロック構成図である。
【図２】図２は、版締めシステムが適用された印刷ユニットを表す正面概略図である。
【図３】図３は、印刷ユニットを表す平面概略図である。
【図４】図４は、版締めシステムによる版締め作業を表すフローチャートである。
【図５−１】図５−１は、版胴のギャップ部の位相合わせ作業を表す概略図である。
【図５−２】図５−２は、版胴への版掛け作業を表す概略図である。
【図５−３】図５−３は、版胴への版巻付作業を表す概略図である。
【図５−４】図５−４は、版胴への版締め作業を表す概略図である。
【図６】図６は、新聞用オフセット輪転印刷機を表す概略構成図である。
【図７】図７は、新聞用オフセット輪転印刷機における印刷ユニットを表す概略構成図である。
【図８】図８は、版締め装置を表す概略図である。
【図９】図９は、版締め装置による版締め作業を表す概略図である。
【図１０】図１０は、版締め装置による版締め作業を表す概略図である。
【図１１】図１１は、第２実施形態の版締めシステムを表すブロック構成図である。
【図１２】図１２は、版締めシステムが適用された印刷ユニットを表す正面概略図である。
【図１３】図１３は、印刷ユニットを表す平面概略図である。
【図１４】図１４は、第３実施形態の版締めシステムを表すブロック構成図である。
【図１５】図１５は、版締めシステムが適用された印刷ユニットを表す正面概略図である。
【図１６】図１６は、印刷ユニットを表す平面概略図である。
【図１７】図１７は、第４実施形態の版締めシステムを表すブロック構成図である。
【図１８】図１８は、版締めシステムが適用された印刷ユニットを表す正面概略図である。
【図１９】図１９は、印刷ユニットを表す平面概略図である。
【図２０】図２０は、第５実施形態の版締めシステムを表すブロック構成図である。
【図２１】図２１は、版締めシステムが適用された印刷ユニットを表す正面概略図である。
【図２２】図２２は、印刷ユニットを表す平面概略図である。
【発明を実施するための形態】
【００３１】
以下に添付図面を参照して、本発明に係る版締めシステム及び印刷機の好適な実施形態を詳細に説明する。なお、この実施形態により本発明が限定されるものではなく、また、複数の実施形態がある場合には、各実施形態を組み合わせて構成するものも含むものである。
【００３２】
［第１実施形態］
図６は、新聞用オフセット輪転印刷機を表す概略構成図、図７は、新聞用オフセット輪転印刷機における印刷ユニットを表す概略構成図である。
【００３３】
第１実施形態において、図６に示すように、印刷機Ｐは、給紙装置Ｒと、インフィード装置Ｉと、印刷装置Ｕと、ウェブパス装置Ｄと、折機Ｆとから構成されている。給紙装置Ｒは、複数（本実施形態では、７台）の給紙ユニットＲ１〜Ｒ７を有し、インフィード装置Ｉは、複数（本実施形態では、７台）のインフィードユニットＩ１〜Ｉ７を有し、印刷装置Ｕは、複数（本実施形態では、６台）の印刷ユニットＵ１〜Ｕ６を有し、ウェブパス装置Ｄは、複数（本実施形態では、２台）のウェブパスユニットＤ１，Ｄ２を有し、折機Ｆは、複数（本実施形態では、２台）の折ユニットＦ１，Ｆ２を有している。
【００３４】
この場合、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。また、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００３５】
給紙装置Ｒにおいて、給紙ユニットＲ１〜Ｒ７は、ほぼ同様の構成をなし、ウェブ（印刷媒体）Ｗがロール状に巻かれた３つの巻取紙を保持する保持アームを有し、この保持アームを回動することで、巻取紙を給紙位置に回動することができる。また、この各給紙ユニットＲ１〜Ｒ７には、図示しない紙継装置が設けられており、給紙位置で繰り出されている巻取紙が残り少なくなると、この紙継装置により給紙位置にある巻取紙に対して、待機位置にある巻取紙を紙継することができる。
【００３６】
インフィード装置Ｉにおいて、インフィードユニットＩ１〜Ｉ７は、ほぼ同様の構成をなし、印刷装置Ｕの各印刷ユニットＵ１〜Ｕ６に送り込むウェブＷのテンションを調整することで、印刷装置Ｕを走行するウェブＷのテンションを適正値に安定して維持するようにしている。例えば、各インフィードユニットＩ１〜Ｉ７は、インフィードローラ、紙押えゴムローラ、ダンサローラ、ガイドローラなどを有している。そして、ダンサローラをウェブＷの張り方向に付勢することでウェブＷのテンションを適正にし、このダンサローラの揺動に応じてインフィードローラの周速を変更し、ウェブＷの適正なテンションを維持している。
【００３７】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。各印刷ユニットＵ１１〜Ｕ６２は、ほぼ同様の構成をなし、後述するが、インキ供給装置、版胴、ブランケット胴などを有している。
【００３８】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。
【００３９】
即ち、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００４０】
折機Ｆにて、２つの折ユニットＦ１，Ｆ２は、操作側と駆動側に配設されている。即ち、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙することができる。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙することができる。
【００４１】
ここで、印刷装置Ｕにおける印刷ユニットＵ１について詳細に説明する。なお、他の各印刷ユニットＵ２〜Ｕ６もほぼ同様の構成となっている。
【００４２】
印刷ユニットＵ１は、図７に示すように、４色印刷が可能となるように、Ｈ型のタワーユニットとなっている。この印刷ユニットＵ１は、ウェブＷの搬送方向が鉛直方向における上方となっており、下から上に向かって、墨（Black）、藍（Cyan）、紅（Magenta）、黄（Yellow）ごとの４つのスタック２１，２２，２３，２４が配置されて構成されている。各スタック２１，２２，２３，２４は、それぞれ左右対称となるローラ配列となっている。
【００４３】
各スタック２１，２２，２３，２４は、左右に対向してブランケット胴３１ａ，３１ｂ，３２ａ，３２ｂ，３３ａ，３３ｂ，３４ａ，３４ｂがウェブＷの搬送経路を挟んで対接可能であり、各ブランケット胴３１ａ，３１ｂ，３２ａ，３２ｂ，３３ａ，３３ｂ，３４ａ，３４ｂに版胴４１ａ，４１ｂ，４２ａ，４２ｂ，４３ａ，４３ｂ，４４ａ，４４ｂが対接している。そして、各スタック２１，２２，２３，２４は、各版胴４１ａ，４１ｂ，４２ａ，４２ｂ，４３ａ，４３ｂ，４４ａ，４４ｂに対して、インキ供給装置５１ａ，５１ｂ，５２ａ，５２ｂ，５３ａ，５３ｂ，５４ａ，５４ｂが設けられている。また、各版胴４１ａ，４１ｂ，４２ａ，４２ｂ，４３ａ，４３ｂ，４４ａ，４４ｂに対して、湿し装置６１ａ，６１ｂ，６２ａ，６２ｂ，６３ａ，６３ｂ，６４ａ，６４ｂが設けられている。
【００４４】
この場合、スタック２１，２３は、ブランケット胴３１ａ，３１ｂ，３３ａ，３３ｂと版胴４１ａ，４１ｂ，４３ａ，４３ｂがハの字形状に配列され、スタック２２，２４は、ブランケット胴３２ａ，３２ｂ，３４ａ，３４ｂと版胴４２ａ，４２ｂ，４４ａ，４４ｂが逆ハの字形状に配列されている。そして、各版胴４１ａ，４１ｂ，４２ａ，４２ｂ，４３ａ，４３ｂ，４４ａ，４４ｂにて、外周面に異なる絵柄を印刷する刷版（図示略）が軸方向、つまり、ウェブＷの幅方向に沿って並べて装着可能となっている。また、鉛直方向における上方向に沿ったウェブＷの搬送経路に対して、左側が表面印刷を行う表面印刷ユニットであり、右側が裏面印刷を行う裏面印刷ユニットである。
【００４５】
ところで、各印刷ユニットＵ１〜Ｕ６にて、版胴４１ａ，４１ｂ，４２ａ，４２ｂ，４３ａ，４３ｂ，４４ａ，４４ｂは、外周部に刷版が装着されており、この刷版は、印刷物に応じて複数が製作され、版胴４１ａ，４１ｂ，４２ａ，４２ｂ，４３ａ，４３ｂ，４４ａ，４４ｂに対して印刷に必要な刷版が装着される。そのため、各印刷ユニットＵ１〜Ｕ６は、版胴４１ａ，４１ｂ，４２ａ，４２ｂ，４３ａ，４３ｂ，４４ａ，４４ｂの外周面に刷版を巻き付けて固定するための版締め装置を装備している。
【００４６】
以下、版締め装置について説明するが、ここでは、印刷ユニットＵ１におけるスタック２１の版胴４１ａに装着された版締め装置について説明する。図８は、版締め装置を表す概略図、図９及び図１０は、版締め装置による版締め作業を表す概略図である。
【００４７】
図８に示すように、版胴４１ａは、円筒状をなす外周面に刷版７１が巻き付けられる。版胴４１ａは、外周部に軸方向に沿って溝形状をなすギャップ部７２が形成され、ギャップ部７２の周方向における一端部にエッジ部分が鋭角に尖った咥え部７２ａが形成され、他端部にエッジ部分が鋭角に尖った咥え尻部７２ｂが形成されている。一方、刷版７１は、長手方向（版胴４１ａの周方向）における一端部に端部が鋭角に屈曲した咥え側端部７１ａが形成され、他端部に端部が鋭角に屈曲した咥え尻側端部７１ｂが形成されている。
【００４８】
刷版７１は、咥え側端部７１ａが版胴４１ａのギャップ部７２内に浸入し、咥え部７２ａに当接して係止されている。また、刷版７１は、咥え尻側端部７１ｂが版胴４１ａのギャップ部７２内に浸入し、咥え尻部７２ｂに当接し、版締め装置７３に係止されている。版締め装置７３は、版胴４１ａの軸方向に沿ってギャップ部７２内に配置されたテンションバー７４を有している。テンションバー７４は、ギャップ部７２内に回転自在に設けられており、外周部に係止爪７４ａが突出して形成され、この係止爪７４ａが刷版７１の咥え尻側端部７１ｂに係止可能となっている。また、テンションバー７４は、外周部にレバー７４ｂが固設されている。
【００４９】
版胴４１ａは、ギャップ部７２に隣接してばね支持部材７５が設けられ、ガイド孔７５ａにガイド軸７６が軸方向に移動自在に嵌合している。圧縮コイルばね７７は、ガイド軸７６の周囲に配置され、ばね支持部材７５とガイド軸７６の頭部７６ａとの間に張設されている。そして、テンションバー７４におけるレバー７４ｂとガイド軸７６の頭部７６ａとが連結軸７８により回動自在に連結されている。そのため、テンションバー７４は、図８にて、時計回り方向、つまり、係止爪７４ａが刷版７１の咥え尻側端部７１ｂに係止する方向に付勢支持されている。
【００５０】
また、版胴４１ａの外周側で、版締め装置７３に隣接して係止爪作動シリンダ（エアシリンダ）７９が配置されており、係止爪作動シリンダ７９は、係止爪作動ロッド７９ａを軸方向に移動可能となっている。係止爪作動ロッド７９ａは、版締め装置７３のガイド軸７６（頭部７６ａ）に対向する位置に配置されている。
【００５１】
なお、版締め装置７３と係止爪作動シリンダ７９は、版胴４１ａにおける軸方向の端部側に配置されており、係止爪作動シリンダ７９は、図示しない印刷機フレームに支持されている。
【００５２】
版締め装置７３は、圧縮コイルばね７７に付勢支持されたテンションバー７４を有しており、係止爪７４ａが刷版７１の咥え尻側端部７１ｂに係止することで、刷版７１を版胴４１ａの外周面に拘束している。そのため、刷版７１を版胴４１ａから取り外す場合、係止爪作動シリンダ７９の係止爪作動ロッド７９ａを伸長し、圧縮コイルばね７７の付勢力に抗してガイド軸７６を押圧し、レバー７４ｂを介してテンションバー７４を、図８にて、反時計回り方向に回動させる。すると、係止爪７４ａが刷版７１の咥え尻側端部７１ｂから離間することで咥え尻側端部７１ｂの拘束が解除され、この咥え尻側端部７１ｂがギャップ部７２から版胴４１ａの外方へ取出し可能となり、版胴４１ａを回転することで刷版７１を版胴４１ａから取り外すことができる。
【００５３】
一方、刷版７１を版胴４１ａに装着する場合、図９に示すように、刷版７１の咥え側端部７１ａを版胴４１ａの咥え部７２ａに係止し、版胴４１ａを、図９にて、反時計回り方向に回転して刷版７１を版胴４１ａに巻き付け、咥え尻側端部７１ｂをギャップ部７２の外方に位置させる。そして、作業者が手で刷版７１の咥え尻側端部７１ｂの外周面を押え、係止爪作動シリンダ７９により係止爪作動ロッド７９ａを伸長させる。すると、係止爪作動ロッド７９ａがガイド軸７６を押圧してテンションバー７４を、図９にて、反時計回り方向に回動させ、係止爪７４ａが解除位置に移動する。ここで、図１０に示すように、作業者が手で刷版７１の咥え尻側端部７１ｂを押すと、咥え尻側端部７１ｂがギャップ部７２内に侵入する。ここで、係止爪作動シリンダ７９により係止爪作動ロッド７９ａを収縮させると、係止爪作動ロッド７９ａがガイド軸７６から離間し、テンションバー７４が圧縮コイルばね７７の付勢力により、図１０にて、時計回り方向に回動し、係止爪７４ａが刷版７１の咥え尻側端部７１ｂに係止し、刷版７１を版胴４１ａの外周面に拘束する。
【００５４】
第１実施形態の版締めシステムは、刷版７１を版胴４１ａに装着する作業を１人の作業者により実施可能とするものである。図１は、第１実施形態の版締めシステムを表すブロック構成図、図２は、版締めシステムが適用された印刷ユニットを表す正面概略図、図３は、印刷ユニットを表す平面概略図である。
【００５５】
第１実施形態において、図１から図３に示すように、版締めシステム８０は、係止爪７４ａが版胴４１ａ，４１ｂ，４２ａ，４２ｂの外周面に巻き付けられた刷版７１の端部に係止して刷版７１を締結する版締め装置７３と、刷版７１の端部に対して係止爪７４ａを係脱させる係止爪作動装置としての係止爪作動シリンダ７９と、係止爪作動シリンダ７９の作動指令信号が入力すると予め設定された所定時間の経過後に係止爪作動シリンダ７９を作動させる制御装置８１とを備えている。
【００５６】
また、版締めシステム８０は、係止爪作動シリンダ７９を作動させるための作動スイッチとして、版胴４１ａ，４１ｂ，４２ａ，４２ｂの外周面に巻き付けられた刷版７１を押える作業者の手を検出する検出スイッチ８２が設けられている。そのため、制御装置８１は、検出スイッチ８２が刷版７１を押える作業者の手を検出すると、検出スイッチ８２から作動指令信号が出力され、制御装置８１は、この作動指令信号が入力すると、所定時間の経過後に係止爪作動シリンダ７９を作動させる。また、制御装置８１は、タイマ８３が接続されており、タイマ８３により所定時間が計測される。なお、この所定時間は、版締め装置７３や係止爪作動シリンダ７９の作動形態などに応じて適宜調整可能である。
【００５７】
ところで、図５−１及び図５−４に示すように、版胴４１ａ（４１ｂ，４２ａ，４２ｂ）は、外周部に軸方向に沿ってギャップ部７２が設けられ、軸方向に沿って４個の刷版装着領域Ａ１，Ａ２，Ａ３，Ａ４が確保されている。そして、版胴４１ａは、各刷版装着領域Ａ１，Ａ２，Ａ３，Ａ４に刷版７１Ａ，７１Ｂ，７１Ｃ，７１Ｄを装着可能となっている。一方、版締め装置７３は、係止爪７４ａが各刷版７１Ａ，７１Ｂ，７１Ｃ，７１Ｄを個別に係止（拘束）可能であり、係止爪作動シリンダ７９は、各刷版７１Ａ，７１Ｂ，７１Ｃ，７１Ｄを係止した係止爪７４ａをそれぞれ個別に作動可能となっている。
【００５８】
図２及び図３に示すように、スタック２１，２２において、左右に印刷機フレーム９１，９２が立設され、各印刷機フレーム９１，９２の間の空間部にて、下段側にブランケット胴３１ａ，３１ｂ及び版胴４１ａ，４１ｂが配置され、上段側にブランケット胴３２ａ，３２ｂ及び版胴４２ａ，４２ｂが配置され、各ブランケット胴３１ａ，３１ｂ，３２ａ，３２ｂ及び版胴４１ａ，４１ｂ，４２ａ，４２ｂは、各印刷機フレーム９１，９２に駆動回転自在に支持されている。また、左右に印刷機フレーム９１，９２の間で、作業者側に作業台９３ａ，９３ｂが配置され、作業台９３ａ，９３ｂの手前側に作業者が版装着作業を実施する作業フロア９４ａ，９４ｂが設けられている。
【００５９】
前述したように、版胴４１ａ，４１ｂ，４２ａ，４２ｂは、４個の刷版装着領域Ａ１，Ａ２，Ａ３，Ａ４が確保されていることから、作業者は、各刷版装着領域Ａ１，Ａ２，Ａ３，Ａ４で刷版７１の装着作業を実施する。そのため、各版胴４１ａ，４１ｂ，４２ａ，４２ｂに対応する各刷版装着領域Ａ１，Ａ２，Ａ３，Ａ４に検出スイッチ８２（８２Ａａ，８２Ｂａ，８２Ｃａ，８２Ｄａ，８２Ａｂ，８２Ｂｂ，８２Ｃｂ，８２Ｄｂ）が配置されている。また、作業台９３ａ，９３ｂにおける作業空間側に版胴選択スイッチ８４（８４ａ，８４ｂ）が設けられている。この版胴選択スイッチ８４（８４ａ，８４ｂ）は、スタック２１の版胴４１ａ，４１ｂとスタック２２の版胴４２ａ，４２ｂのうち、版交換を実施する版胴４１ａ，４１ｂ，４２ａ，４２ｂを選択するものである。
【００６０】
ここで、本実施形態の版締めシステム８０による版締め作業について詳細に説明する。
【００６１】
図４は、版締めシステムによる版締め作業を表すフローチャート、図５−１は、版胴のギャップ部の位相合わせ作業を表す概略図、図５−２は、版胴への版掛け作業を表す概略図、図５−３は、版胴への版巻付作業を表す概略図、図５−４は、版胴への版締め作業を表す概略図である。
【００６２】
版胴４１ａに対する刷版７１の版締め作業において、図４及び図５−１に示すように、ステップＳ１１にて、版胴４１ａを回転してギャップ部７２の位相出しを実施し、このギャップ部７２を所定の位置、つまり、作業者が刷版７１の咥え側端部７１ａをギャップ部７２に挿入することができる位置に位置決めする。図４及び図５−２に示すように、ステップＳ１２にて、作業者は、版胴４１ａにおける刷版装着領域Ａ１に対して、対応する刷版７１Ａの咥え側端部７１Ａａをギャップ部７２に係止する版掛け作業を実施する。続いて、作業者は、版胴４１ａにおける残りの各刷版装着領域Ａ２，Ａ３，Ａ４に対しても、同様に、対応する刷版７１Ｂ，７１Ｃ，７１Ｄの各咥え側端部をギャップ部７２に係止する版掛け作業を実施する。
【００６３】
そして、図４及び図５−３に示すように、ステップＳ１３にて、版胴４１ａを１回転させ、版胴４１ａの外周面に各刷版７１Ａ，７１Ｂ，７１Ｃ，７１Ｄを巻き付ける。ここで、各刷版７１Ａ，７１Ｂ，７１Ｃ，７１Ｄは、版胴４１ａに巻き付けられているが、咥え尻側端部７１Ａｂ，７１Ｂｂ，７１Ｃｂ，７１Ｄｂがギャップ部７２に挿入されていない。図４及び図５−４に示すように、ステップＳ１４にて、作業者は、まず、刷版７１Ａの外周面における咥え尻側端部７１Ａｂを押える。すると、図３及び図４に示すように、検出スイッチ８２Ａａが刷版７１Ａの外周面を押える作業者の手を検出することができる。
【００６４】
ステップＳ１５にて、検出スイッチ８２Ａａが作業者の手を検出する（Ｙｅｓ）と、ステップＳ１６にて、タイマ８３が作動を開始する。この場合、例えば、検出スイッチ８２Ａａが作業者の手を検出するとランプを点灯させ、検出スイッチ８２Ａａが作業者の手を所定時間継続して検出していると、タイマ８３の作動が開始されるように構成することが望ましい。なお、ステップＳ１５にて、検出スイッチ８２Ａａが作業者の手を検出しない（Ｎｏ）と、タイマ８３の作動が開始されない。ステップＳ１７にて、検出スイッチ８２Ａａが作業者の手を検出してから所定時間が経過したかどうかを判定する。
【００６５】
ここで、検出スイッチ８２Ａａが作業者の手を検出して所定時間が経過しない（Ｎｏ）と、ステップＳ１６の処理を継続し、検出スイッチ８２Ａａが作業者の手を検出して所定時間が経過する（Ｙｅｓ）と、ステップＳ１８にて、版締め装置７３により刷版７１Ａの咥え尻側端部７１Ａｂがギャップ部７２に挿入されて係止され、版クランプが実施される。即ち、図９に示すように、作業者が手で刷版７１の外周面における咥え尻側端部７１ｂを外方から押えた状態で、係止爪作動シリンダ７９により係止爪作動ロッド７９ａが伸長すると、係止爪作動ロッド７９ａがガイド軸７６を押圧してテンションバー７４を回動して係止爪７４ａを解除位置に移動する。すると、刷版７１の咥え尻側端部７１ｂは、作業者の手に押されてギャップ部７２内に入り、次に、係止爪作動シリンダ７９により係止爪作動ロッド７９ａが収縮すると、係止爪作動ロッド７９ａがガイド軸７６から離間し、テンションバー７４が圧縮コイルばね７７の付勢力により回動し、係止爪７４ａが刷版７１Ａの咥え尻側端部７１ｂに係止する。そのため、刷版７１は、版締め装置７３により版胴４１ａの外周面に装着される。
【００６６】
版胴４１ａに対する刷版７１Ａの装着作業が完了すると、同様の方法により、版胴４１ａに対する刷版７１Ｂ，７１Ｃ，７１Ｄの装着作業を順に実施する。そして、全ての刷版７１Ａ，７１Ｂ，７１Ｃ，７１Ｄが版胴４１ａに装着されると、ステップＳ１９にて、版胴４１ａの版締め作業が完了する。
【００６７】
このように第１実施形態の版締めシステムにあっては、係止爪７４ａが版胴４１ａ（４１ｂ，４２ａ，４２ｂ）の外周面に巻き付けられた刷版７１の端部に係止して刷版７１を締結する版締め装置７３と、刷版７１の端部に対して係止爪７４ａを係脱させる係止爪作動シリンダ７９と、係止爪作動シリンダ７９の作動指令信号が入力すると予め設定された所定時間の経過後に係止爪作動シリンダ７９を作動させる制御装置８１とを設けている。
【００６８】
従って、制御装置８１は、作動指令信号が入力すると、所定時間の経過後に係止爪作動シリンダ７９を作動させる。そのため、作業者が版装着動作を行って作動指令信号が出力されると、制御装置８１は、作動指令信号の入力から所定時間の待ち時間を確保することとなり、作業者は、この待ち時間の間に、版胴４１ａの外周面に巻き付けられた刷版７１の端部を外方から押えることができる。そして、所定時間が経過し、係止爪作動シリンダ７９が作動すると、係止爪７４ａが作動して刷版７１の咥え尻側端部７１ｂに係止し、刷版７１を版胴４１ａの外周面に締結することができる。その結果、版胴４１ａへの刷版７１の装着作業を１人の作業者により実施することが可能となり、迅速な版交換作業を実施することで作業性の向上を図ることができる。また、既存の版締め装置７３と係止爪作動シリンダ７９に加えて作動指令信号の出入力装置だけでよく、大掛かりな装置を不要として装置の簡素化及び製造コストの低減を図ることができる。
【００６９】
第１実施形態の版締めシステムでは、係止爪作動シリンダ７９を作動させる作動スイッチとして、刷版７１の咥え尻側端部７１ｂを押える作業者の手を検出する検出スイッチ８２を設け、制御装置８１は、この検出スイッチ８２から出力される作動指令信号が入力すると、所定時間の経過後に係止爪作動シリンダ７９を作動させる。従って、作業者が刷版７１の咥え尻側端部７１ｂを押えたとき、検出スイッチ８２が刷版７１を押える作業者の手を検出して作動指令信号が出力され、制御装置８１は、この作動指令信号が入力されると、所定時間の経過後に係止爪作動シリンダ７９を作動させることから、作業者は、刷版７１の咥え尻側端部７１ｂを押えるだけで係止爪作動シリンダ７９が自動的に作動することとなり、版胴４１ａへの刷版７１の装着作業を１人の作業者により実施することが可能となり、作業性の向上を図ることができる。
【００７０】
また、本実施形態の印刷機にあっては、インキを供給するインキ供給装置５１ａ，５１ｂ，５２ａ，５２ｂ，５３ａ，５３ｂ，５４ａ，５４ｂと、版胴４１ａ，４１ｂ，４２ａ，４２ｂ，４３ａ，４３ｂ，４４ａ，４４ｂと、ブランケット胴３１ａ，３１ｂ，３２ａ，３２ｂ，３３ａ，３３ｂ，３４ａ，３４ｂと、版締めシステム８０とを備えている。
【００７１】
従って、版胴４１ａ，４１ｂ，４２ａ，４２ｂ，４３ａ，４３ｂ，４４ａ，４４ｂへの刷版７１の装着時、作業者が版装着動作を行って作動指令信号が出力されると、作動指令信号の入力から所定時間の待ち時間が確保され、作業者はこの待ち時間の間に版胴４１ａ，４１ｂ，４２ａ，４２ｂ，４３ａ，４３ｂ，４４ａ，４４ｂの外周面に巻き付けられた刷版７１の端部を外方から押えることができる。その結果、版胴４１ａ，４１ｂ，４２ａ，４２ｂ，４３ａ，４３ｂ，４４ａ，４４ｂへの刷版７１の装着作業を１人の作業者により実施することが可能となり、迅速な版交換作業を実施することで作業性の向上を図ることができる。また、既存の版締め装置７３と係止爪作動シリンダ７９に加えて作動指令信号の出入力装置だけでよく、大掛かりな装置を不要として装置の簡素化及び製造コストの低減を図ることができる。
【００７２】
［第２実施形態］
図１１は、第２実施形態の版締めシステムを表すブロック構成図、図１２は、版締めシステムが適用された印刷ユニットを表す正面概略図、図１３は、印刷ユニットを表す平面概略図である。なお、上述した実施形態と同様の機能を有する部材には、同一の符号を付して詳細な説明は省略する。
【００７３】
第２実施形態において、図１１から図１３に示すように、版締めシステム８０は、係止爪７４ａが版胴４１ａ，４１ｂ，４２ａ，４２ｂの外周面に巻き付けられた刷版７１の端部に係止して刷版７１を締結する版締め装置７３と、刷版７１の端部に対して係止爪７４ａを係脱させる係止爪作動装置としての係止爪作動シリンダ７９と、係止爪作動シリンダ７９の作動指令信号が入力すると予め設定された所定時間の経過後に係止爪作動シリンダ７９を作動させる制御装置８１とを備えている。
【００７４】
また、版締めシステム８０は、係止爪作動シリンダ７９を作動させるための作動スイッチとして、版胴４１ａ，４１ｂ，４２ａ，４２ｂの外周面に巻き付けられた刷版７１を押える作業者の手を検出する検出スイッチ８２が設けられている。更に、版締めシステム８０は、作業者が版締め作業を行う作業フロア９４ａ，９４ｂにいることを検出する人感センサ８５が設けられている。そのため、制御装置８１は、人感センサ８５が作業者を検出し、且つ、検出スイッチ８２が版胴４１ａ，４１ｂ，４２ａ，４２ｂに巻き付けられた刷版７１を押える作業者の手を検出すると、人感センサ８５からの第２作動指令信号が出力され、検出スイッチ８２から第１作動指令信号が出力され、制御装置８１は、この各作動指令信号が入力すると、所定時間の経過後に係止爪作動シリンダ７９を作動させる。
【００７５】
スタック２１，２２において、各版胴４１ａ，４１ｂ，４２ａ，４２ｂに対応する各刷版装着領域Ａ１，Ａ２，Ａ３，Ａ４に検出スイッチ８２Ａａ，８２Ｂａ，８２Ｃａ，８２Ｄａ，８２Ａｂ，８２Ｂｂ，８２Ｃｂ，８２Ｄｂが配置されている。また、各版胴４１ａ，４２ａに対向する作業フロア９４ａの上方に人感センサ８５ａが設けられ、各版胴４１ｂ，４２ｂに対向する作業フロア９４ｂの上方に人感センサ８５ｂが設けられている。なお、人感センサ８５ａ，８５ｂの位置は、作業フロア９４ａ，９４ｂの上方に限らず、作業フロア９４ａ，９４ｂ（人感マット）、作業フロア９４ａ，９４ｂの側方、作業フロア９４ａ，９４ｂの前方または後方に設けてもよい。また、この人感センサ８５ａ，８５ｂは、超音波センサ、赤外線センサ、光電センサなどであってもよい。
【００７６】
ここで、本実施形態の版締めシステム８０による版締め作業について詳細に説明する。
【００７７】
作業者は、作業台９３ａの前の作業フロア９４ａに位置すると、人感センサ８５ａがこの作業者を検出する。作業者は、版胴４１ａを回転してギャップ部７２の位相出しを実施し、版胴４１ａにおける各刷版装着領域Ａ１，Ａ２，Ａ３，Ａ４に対して、対応する刷版７１Ａ，７１Ｂ，７１Ｃ，７１Ｄの咥え側端部をギャップ部７２に係止する版掛け作業を実施する。そして、版胴４１ａを１回転させ、版胴４１ａの外周面に各刷版７１Ａ，７１Ｂ，７１Ｃ，７１Ｄを巻付ける。ここで、作業者は、刷版７１Ａの外周面における咥え尻側端部７１Ａｂを押える。すると、検出スイッチ８２Ａａが刷版７１Ａの外周面を押える作業者の手を検出する。
【００７８】
即ち、人感センサ８５ａが作業者を検出し、且つ、検出スイッチ８２Ａａが版胴４１ａに巻き付けられた刷版７１を押える作業者の手を検出すると、タイマ８３が作動を開始する。そして、検出スイッチ８２Ａａが作業者の手を検出して所定時間が経過すると、版締め装置７３により刷版７１Ａの咥え尻側端部７１Ａｂがギャップ部７２に挿入されて係止爪７４ａにより係止される。同様に、版胴４１ａに対する刷版７１Ｂ，７１Ｃ，７１Ｄの装着作業を順に実施する。
【００７９】
このように第２実施形態の版締めシステムにあっては、版胴４１ａ，４１ｂ，４２ａ，４２ｂの外周面に巻き付けられた刷版７１を押える作業者の手を検出する検出スイッチ８２と、作業者が版締め作業を行う作業フロア９４ａ，９４ｂにいることを検出する人感センサ８５（８５ａ，８５ｂ）とを設け、制御装置８１は、人感センサ８５ａ，８５ｂが作業フロア９４ａ，９４ｂの作業者を検出し、且つ、検出スイッチ８２Ａａが版胴４１ａ，４１ｂ，４２ａ，４２ｂに巻き付けられた刷版７１を押える作業者の手を検出すると、所定時間の経過後に係止爪作動シリンダ７９を作動させる。
【００８０】
従って、制御装置８１は、人感センサ８５ａ，８５ｂが作業者を検出した後、作動指令信号が入力すると、所定時間の経過後に係止爪作動シリンダ７９を作動させることから、作業者による版装着作業の実施を明確に確認することができ、安全性を向上することができる。
【００８１】
［第３実施形態］
図１４は、第３実施形態の版締めシステムを表すブロック構成図、図１５は、版締めシステムが適用された印刷ユニットを表す正面概略図、図１６は、印刷ユニットを表す平面概略図である。なお、上述した実施形態と同様の機能を有する部材には、同一の符号を付して詳細な説明は省略する。
【００８２】
第３実施形態において、図１４から図１６に示すように、版締めシステム８０は、係止爪７４ａが版胴４１ａ，４１ｂ，４２ａ，４２ｂの外周面に巻き付けられた刷版７１の端部に係止して刷版７１を締結する版締め装置７３と、刷版７１の端部に対して係止爪７４ａを係脱させる係止爪作動装置としての係止爪作動シリンダ７９と、係止爪作動シリンダ７９の作動指令信号が入力すると予め設定された所定時間の経過後に係止爪作動シリンダ７９を作動させる制御装置８１とを備えている。
【００８３】
また、版締めシステム８０は、係止爪作動シリンダ７９を作動させるための作動スイッチとして、作業者が操作可能な押ボタン式腹スイッチ８６が設けられている。この押ボタン式腹スイッチ８６は、作業者が手だけでなく、腹などの身体で押すことができる。そのため、制御装置８１は、作業者により押ボタン式腹スイッチ８６が操作されると、作動指令信号が出力され、制御装置８１は、この作動指令信号が入力すると、所定時間の経過後に係止爪作動シリンダ７９を作動させる。
【００８４】
スタック２１，２２において、各版胴４１ａ，４１ｂ，４２ａ，４２ｂに対応する各刷版装着領域Ａ１，Ａ２，Ａ３，Ａ４に押ボタン式腹スイッチ８６Ａａ，８６Ｂａ，８６Ｃａ，８６Ｄａ，８６Ａｂ，８６Ｂｂ，８６Ｃｂ，８６Ｄｂが配置されている。各押ボタン式腹スイッチ８６Ａａ，８６Ｂａ，８６Ｃａ，８６Ｄａ，８６Ａｂ，８６Ｂｂ，８６Ｃｂ，８６Ｄｂは、版胴４１ａ，４１ｂとほぼ同じ高さで、作業台９３ａ，９３ｂにおける作業者に対向する壁面に配置されている。
【００８５】
ここで、本実施形態の版締めシステム８０による版締め作業について詳細に説明する。
【００８６】
作業者は、版胴４１ａを回転してギャップ部７２の位相出しを実施し、版胴４１ａにおける各刷版装着領域Ａ１，Ａ２，Ａ３，Ａ４に対して、対応する刷版７１Ａ，７１Ｂ，７１Ｃ，７１Ｄの咥え側端部をギャップ部７２に係止する版掛け作業を実施する。そして、版胴４１ａを１回転させ、版胴４１ａの外周面に各刷版７１Ａ，７１Ｂ，７１Ｃ，７１Ｄを巻付ける。ここで、作業者は、押ボタン式腹スイッチ８６Ａａを操作した後、刷版７１Ａの外周面における咥え尻側端部７１Ａｂを押える。
【００８７】
作業者が押ボタン式腹スイッチ８６Ａａを操作すると、タイマ８３が作動を開始する。そして、作業者が押ボタン式腹スイッチ８６Ａａを操作して所定時間が経過すると、版締め装置７３により刷版７１Ａの咥え尻側端部７１Ａｂがギャップ部７２に挿入されて係止爪７４ａにより係止される。同様に、版胴４１ａに対する刷版７１Ｂ，７１Ｃ，７１Ｄの装着作業を順に実施する。
【００８８】
このように第３実施形態の版締めシステムにあっては、係止爪作動シリンダ７９を作動させる作動スイッチとして、作業者が操作可能な押ボタン式腹スイッチ８６Ａａ，８６Ｂａ，８６Ｃａ，８６Ｄａ，８６Ａｂ，８６Ｂｂ，８６Ｃｂ，８６Ｄｂを設け、制御装置８１は、各押ボタン式腹スイッチ８６Ａａ，８６Ｂａ，８６Ｃａ，８６Ｄａ，８６Ａｂ，８６Ｂｂ，８６Ｃｂ，８６Ｄｂが操作されると、所定時間の経過後に係止爪作動シリンダ７９を作動させる。
【００８９】
従って、作業者が押ボタン式腹スイッチ８６Ａａ，８６Ｂａ，８６Ｃａ，８６Ｄａ，８６Ａｂ，８６Ｂｂ，８６Ｃｂ，８６Ｄｂを操作して作動指令信号が出力され、制御装置８１は、この作動指令信号が入力されると、所定時間の経過後に係止爪作動シリンダ７９を作動させることから、作業者は、押ボタン式腹スイッチ８６Ａａ，８６Ｂａ，８６Ｃａ，８６Ｄａ，８６Ａｂ，８６Ｂｂ，８６Ｃｂ，８６Ｄｂを操作してから所定時間の間に、版胴４１ａ，４１ｂ，４２ａ，４２ｂの外周面に巻き付けられた刷版７１の咥え尻側端部７１ｂを外方から押えることができ、版胴４１ａ，４１ｂ，４２ａ，４２ｂへの刷版７１の装着作業を１人の作業者により実施することが可能となり、作業性の向上を図ることができる。
【００９０】
第３実施形態の版締めシステムでは、押ボタン式腹スイッチ８６Ａａ，８６Ｂａ，８６Ｃａ，８６Ｄａ，８６Ａｂ，８６Ｂｂ，８６Ｃｂ，８６Ｄｂを版胴４１ａ，４１ｂ，４２ａ，４２ｂとほぼ同じ高さで、作業者に対向して配置している。従って、作業者の腹などの身体を使って押ボタン式腹スイッチ８６Ａａ，８６Ｂａ，８６Ｃａ，８６Ｄａ，８６Ａｂ，８６Ｂｂ，８６Ｃｂ，８６Ｄｂを操作することができ、操作性を向上することができる。
【００９１】
［第４実施形態］
図１７は、第４実施形態の版締めシステムを表すブロック構成図、図１８は、版締めシステムが適用された印刷ユニットを表す正面概略図、図１９は、印刷ユニットを表す平面概略図である。なお、上述した実施形態と同様の機能を有する部材には、同一の符号を付して詳細な説明は省略する。
【００９２】
第４実施形態において、図１７から図１９に示すように、版締めシステム８０は、係止爪７４ａが版胴４１ａ，４１ｂ，４２ａ，４２ｂの外周面に巻き付けられた刷版７１の端部に係止して刷版７１を締結する版締め装置７３と、刷版７１の端部に対して係止爪７４ａを係脱させる係止爪作動装置としての係止爪作動シリンダ７９と、係止爪作動シリンダ７９の作動指令信号が入力すると予め設定された所定時間の経過後に係止爪作動シリンダ７９を作動させる制御装置８１とを備えている。
【００９３】
また、版締めシステム８０は、係止爪作動シリンダ７９を作動させるための作動スイッチとして、作業者が操作可能な押ボタン式フットスイッチ８７が設けられている。この押ボタン式フットスイッチ８７は、作業者が足で押すことができる。そのため、制御装置８１は、作業者により押ボタン式フットスイッチ８７が操作されると、作動指令信号が出力され、制御装置８１は、この作動指令信号が入力すると、所定時間の経過後に係止爪作動シリンダ７９を作動させる。
【００９４】
スタック２１，２２において、各版胴４１ａ，４１ｂ，４２ａ，４２ｂに対応する各刷版装着領域Ａ１，Ａ２，Ａ３，Ａ４に押ボタン式フットスイッチ８７Ａａ，８７Ｂａ，８７Ｃａ，８７Ｄａ，８７Ａｂ，８７Ｂｂ，８７Ｃｂ，８７Ｄｂが配置されている。各押ボタン式フットスイッチ８７Ａａ，８７Ｂａ，８７Ｃａ，８７Ｄａ，８７Ａｂ，８７Ｂｂ，８７Ｃｂ，８７Ｄｂは、作業者が版締め作業を行う作業フロア９４ａ，９４ｂに配置されており、作業者の足により踏まれることで操作可能である。
【００９５】
ここで、本実施形態の版締めシステム８０による版締め作業について詳細に説明する。
【００９６】
作業者は、版胴４１ａを回転してギャップ部７２の位相出しを実施し、版胴４１ａにおける各刷版装着領域Ａ１，Ａ２，Ａ３，Ａ４に対して、対応する刷版７１Ａ，７１Ｂ，７１Ｃ，７１Ｄの咥え側端部をギャップ部７２に係止する版掛け作業を実施する。そして、版胴４１ａを１回転させ、版胴４１ａの外周面に各刷版７１Ａ，７１Ｂ，７１Ｃ，７１Ｄを巻付ける。ここで、作業者は、押ボタン式フットスイッチ８７Ａａを操作した後、刷版７１Ａの外周面における咥え尻側端部７１Ａｂを押える。
【００９７】
作業者が押ボタン式フットスイッチ８７Ａａを操作すると、タイマ８３が作動を開始する。そして、作業者が押ボタン式フットスイッチ８７Ａａを操作して所定時間が経過すると、版締め装置７３により刷版７１Ａの咥え尻側端部７１Ａｂがギャップ部７２に挿入されて係止爪７４ａにより係止される。同様に、版胴４１ａに対する刷版７１Ｂ，７１Ｃ，７１Ｄの装着作業を順に実施する。
【００９８】
このように第４実施形態の版締めシステムにあっては、係止爪作動シリンダ７９を作動させる作動スイッチとして、作業者が版締め作業を行う作業フロア９４ａ，９４ｂに配置される押ボタン式フットスイッチ８７Ａａ，８７Ｂａ，８７Ｃａ，８７Ｄａ，８７Ａｂ，８７Ｂｂ，８７Ｃｂ，８７Ｄｂを設け、制御装置８１は、各押ボタン式フットスイッチ８７Ａａ，８７Ｂａ，８７Ｃａ，８７Ｄａ，８７Ａｂ，８７Ｂｂ，８７Ｃｂ，８７Ｄｂが操作されると、所定時間の経過後に係止爪作動シリンダ７９を作動させる。
【００９９】
従って、作業フロア９４ａ，９４ｂに配置される押ボタン式フットスイッチ８７Ａａ，８７Ｂａ，８７Ｃａ，８７Ｄａ，８７Ａｂ，８７Ｂｂ，８７Ｃｂ，８７Ｄｂを作業者の足により操作することができ、操作性を向上することができる。
【０１００】
［第５実施形態］
図２０は、第５実施形態の版締めシステムを表すブロック構成図、図２１は、版締めシステムが適用された印刷ユニットを表す正面概略図、図２２は、印刷ユニットを表す平面概略図である。なお、上述した実施形態と同様の機能を有する部材には、同一の符号を付して詳細な説明は省略する。
【０１０１】
第５実施形態において、図２０から図２２に示すように、版締めシステム８０は、係止爪７４ａが版胴４１ａ，４１ｂ，４２ａ，４２ｂの外周面に巻き付けられた刷版７１の端部に係止して刷版７１を締結する版締め装置７３と、刷版７１の端部に対して係止爪７４ａを係脱させる係止爪作動装置としての係止爪作動シリンダ７９と、係止爪作動シリンダ７９の作動指令信号が入力すると予め設定された所定時間の経過後に係止爪作動シリンダ７９を作動させる制御装置８１とを備えている。
【０１０２】
また、版締めシステム８０は、係止爪作動シリンダ７９を作動させるための作動スイッチとして、版胴４１ａ，４１ｂ，４２ａ，４２ｂの外周辺に版胴４１ａ，４１ｂ，４２ａ，４２ｂと平行をなして配置される安全バー９５ａ，９５ｂ，９６ａ，９６ｂに押ボタン式スイッチ８８が設けられている。この押ボタン式スイッチ８８は、作業者が手で押すことができる。そのため、制御装置８１は、作業者により押ボタン式スイッチ８８が操作されると、作動指令信号が出力され、制御装置８１は、この作動指令信号が入力すると、所定時間の経過後に係止爪作動シリンダ７９を作動させる。
【０１０３】
スタック２１において、各ブランケット胴３１ａ，３１ｂと各版胴４１ａ，４１ｂとの間に作業者の手の挟み込みを防止する安全バー９５ａ，９５ｂが設けられ、この安全バー９５ａ，９５ｂは、各端部が印刷機フレーム９１，９２に固定されている。また、スタック２２において、各ブランケット胴３２ａ，３２ｂと各版胴４２ａ，４２ｂとの間に作業者の手の挟み込みを防止する安全バー９６ａ，９６ｂが設けられており、この安全バー９６ａ，９６ｂは、各端部が印刷機フレーム９１，９２に固定されている。そして、各安全バー９５ａ，９５ｂ，９６ａ，９６ｂは、各ブランケット胴３１ａ，３１ｂ，３２ａ，３２ｂに対応する各刷版装着領域Ａ１，Ａ２，Ａ３，Ａ４に対応して押ボタン式スイッチ８８Ａａ，８８Ｂａ，８８Ｃａ，８８Ｄａ，８８Ａｂ，８８Ｂｂ，８８Ｃｂ，８８Ｄｂが配置されている。そのため、各押ボタン式スイッチ８８Ａａ，８８Ｂａ，８８Ｃａ，８８Ｄａ，８８Ａｂ，８８Ｂｂ，８８Ｃｂ，８８Ｄｂは、各刷版装着領域Ａ１，Ａ２，Ａ３，Ａ４にて、作業者に対向する各安全バー９５ａ，９５ｂに配置され、作業者の手により操作可能となっている。
【０１０４】
ここで、本実施形態の版締めシステム８０による版締め作業について詳細に説明する。
【０１０５】
作業者は、版胴４１ａを回転してギャップ部７２の位相出しを実施し、版胴４１ａにおける各刷版装着領域Ａ１，Ａ２，Ａ３，Ａ４に対して、対応する刷版７１Ａ，７１Ｂ，７１Ｃ，７１Ｄの咥え側端部をギャップ部７２に係止する版掛け作業を実施する。そして、版胴４１ａを１回転させ、版胴４１ａの外周面に各刷版７１Ａ，７１Ｂ，７１Ｃ，７１Ｄを巻付ける。ここで、作業者は、押ボタン式スイッチ８８Ａａを操作した後、刷版７１Ａの外周面における咥え尻側端部７１Ａｂを押える。
【０１０６】
作業者が押ボタン式スイッチ８８Ａａを操作すると、タイマ８３が作動を開始する。そして、作業者が押ボタン式スイッチ８８Ａａを操作して所定時間が経過すると、版締め装置７３により刷版７１Ａの咥え尻側端部７１Ａｂがギャップ部７２に挿入されて係止爪７４ａにより係止される。同様に、版胴４１ａに対する刷版７１Ｂ，７１Ｃ，７１Ｄの装着作業を順に実施する。
【０１０７】
このように第５実施形態の版締めシステムにあっては、各ブランケット胴３１ａ，３１ｂ，３２ａ，３２ｂと各版胴４１ａ，４１ｂ，４２ａ，４２ｂとの間に安全バー９５ａ，９５ｂ，９６ａ，９６ｂを設け、この安全バー９５ａ，９５ｂ，９６ａ，９６ｂに係止爪作動シリンダ７９を作動させる作動スイッチとして、押ボタン式スイッチ８８Ａａ，８８Ｂａ，８８Ｃａ，８８Ｄａ，８８Ａｂ，８８Ｂｂ，８８Ｃｂ，８８Ｄｂを設け、制御装置８１は、各押ボタン式スイッチ８８Ａａ，８８Ｂａ，８８Ｃａ，８８Ｄａ，８８Ａｂ，８８Ｂｂ，８８Ｃｂ，８８Ｄｂが操作されると、所定時間の経過後に係止爪作動シリンダ７９を作動させる。
【０１０８】
従って、押ボタン式スイッチ８８Ａａ，８８Ｂａ，８８Ｃａ，８８Ｄａ，８８Ａｂ，８８Ｂｂ，８８Ｃｂ，８８Ｄｂを安全バー９５ａ，９５ｂ，９６ａ，９６ｂに設けることで、作業者は、押ボタン式スイッチ８８Ａａ，８８Ｂａ，８８Ｃａ，８８Ｄａ，８８Ａｂ，８８Ｂｂ，８８Ｃｂ，８８Ｄｂを操作してからすぐに刷版７１の咥え尻側端部７１ｂを押えることができ、操作性を向上することができる。
【０１０９】
なお、上述した実施形態では、版締め装置７３を係止爪作動装置としての係止爪作動シリンダ７９により作動するように構成したが、この構成に限らず、係止爪作動装置は、駆動モータなどとしてもよい。
【０１１０】
また、上述した実施形態では、押ボタン式腹スイッチとして、押ボタン式腹スイッチ８６、押ボタン式フットスイッチ８７、押ボタン式スイッチ８８を設けたが、この構成に限定されるものではない、例えば、印刷機フレーム９１，９２における駆動側と操作側における一方または両方の側面部に作業者が操作可能な押ボタン式スイッチを設けてもよい。また、押ボタン式スイッチは、シートキーやタッチパネルであってもよい。
【０１１１】
また、上述した実施形態では、印刷機として新聞用オフセット輪転印刷機Ｐを適用したが、商業用オフセット輪転印刷機やオフセット枚葉印刷機などに適用してもよい。
【符号の説明】
【０１１２】
Ｐ  新聞用オフセット輪転印刷機（印刷機）
Ｒ  給紙装置
Ｒ１〜Ｒ７  給紙ユニット
Ｉ  インフィード装置
Ｉ１〜Ｉ７  インフィードユニット
Ｕ  印刷装置
Ｕ１〜Ｕ６，Ｕ１１〜Ｕ６２  印刷ユニット
Ｄ  ウェブパス装置
Ｄ１，Ｄ２  ウェブパスユニット
Ｆ  折機
Ｆ１，Ｆ２  折ユニット
２１，２２，２３，２４  スタック
３１ａ，３１ｂ，３２ａ，３２ｂ，３３ａ，３３ｂ，３４ａ，３４ｂ  ブランケット胴
４１ａ，４１ｂ，４２ａ，４２ｂ，４３ａ，４３ｂ，４４ａ，４４ｂ  版胴
５１ａ，５１ｂ，５２ａ，５２ｂ，５３ａ，５３ｂ，５４ａ，５４ｂ  インキ供給装置
６１ａ，６１ｂ，６２ａ，６２ｂ，６３ａ，６３ｂ，６４ａ，６４ｂ  湿し装置
７１，７１Ａ，７１Ｂ，７１Ｃ，７１Ｄ  刷版
７１ａ  咥え側端部
７１ｂ  咥え尻側端部
７２  ギャップ部
７２ａ  咥え部
７２ｂ  咥え尻部
７３  版締め装置
７４  テンションバー
７４ａ  係止爪
７７  圧縮コイルばね
７９  係止爪作動シリンダ（係止爪作動装置）
８０  版締めシステム
８１  制御装置
８２，８２Ａａ，８２Ｂａ，８２Ｃａ，８２Ｄａ，８２Ａｂ，８２Ｂｂ，８２Ｃｂ，８２Ｄｂ  検出スイッチ（作動スイッチ）
８３  タイマ
８４，８４ａ，８４ｂ  版胴選択スイッチ
８５，８５ａ，８５ｂ  人感センサ
８６，８６Ａａ，８６Ｂａ，８６Ｃａ，８６Ｄａ，８６Ａｂ，８６Ｂｂ，８６Ｃｂ，８６Ｄｂ  押ボタン式腹スイッチ（作動スイッチ）
８７，８７Ａａ，８７Ｂａ，８７Ｃａ，８７Ｄａ，８７Ａｂ，８７Ｂｂ，８７Ｃｂ，８７Ｄｂ  押ボタン式フットスイッチ（作動スイッチ）
８８，８８Ａａ，８８Ｂａ，８８Ｃａ，８８Ｄａ，８８Ａｂ，８８Ｂｂ，８８Ｃｂ，８８Ｄｂ  押ボタン式スイッチ（作動スイッチ）
９４ａ，９４ｂ  作業フロア
９５ａ，９５ｂ，９６ａ，９６ｂ  安全バー
Ａ１，Ａ２，Ａ３，Ａ４  刷版装着領域
Ｗ，Ｗ１，Ｗ２  ウェブ（印刷媒体）
【図１】
2017222041.tif 000003
【図２】
2017222041.tif 000004
【図３】
2017222041.tif 000005
【図４】
2017222041.tif 000006
【図５−１】
2017222041.tif 000007
【図５−２】
2017222041.tif 000008
【図５−３】
2017222041.tif 000009
【図５−４】
2017222041.tif 000010
【図６】
2017222041.tif 000011
【図７】
2017222041.tif 000012
【図８】
2017222041.tif 000013
【図９】
2017222041.tif 000014
【図１０】
2017222041.tif 000015
【図１１】
2017222041.tif 000016
【図１２】
2017222041.tif 000017
【図１３】
2017222041.tif 000018
【図１４】
2017222041.tif 000019
【図１５】
2017222041.tif 000020
【図１６】
2017222041.tif 000021
【図１７】
2017222041.tif 000022
【図１８】
2017222041.tif 000023
【図１９】
2017222041.tif 000024
【図２０】
2017222041.tif 000025
【図２１】
2017222041.tif 000026
【図２２】
2017222041.tif 000027